(57)【特許請求の範囲】
【請求項１】
器体に上方に開口する複数の湯槽を備えると共に、器体内に湯槽を加熱する加熱手段を備え、各湯槽をテボが左右に一個又は複数個且つ前後に一列浸漬可能に形成し、後側の湯槽の上端部が前側の湯槽の上端部よりも上方に位置し、且つ、後側の湯槽の下端部が前側の湯槽の下端部よりも上方に位置するように複数の湯槽を前後に並設し、後側の湯槽の下側に被加熱容器を配置して成ることを特徴とする茹麺器。
【発明の詳細な説明】
【技術分野】
【０００１】
本発明は、例えばうどんやそば、ラーメン、パスタ等の麺をテボに入れて茹で上げるための茹麺器に関するものである。
【背景技術】
【０００２】
従来、テボと称される柄付きの細長いざる状容器に、所定の分量に分けられた生麺、冷凍麺などを入れ、これを湯槽内に浸漬して茹でるようにした茹麺器が知られている（例えば、特許文献１参照）。
【０００３】
この種の茹麺器は、図２、図３に示すように、器体１に上方に開口する湯槽２を備えると共に、器体１内に湯槽２を加熱する加熱手段３を備えており、湯槽２に溜められた湯にテボ４が浸漬される。
【０００４】
茹麺器は業務用であって、一つの湯槽２に同時に複数のテボ４を浸漬することができるもので、左右（図中の矢印ＬＲの方向）に２個・前後（図中の矢印Ｆが前方、矢印Ｂが後方）に２列、図示しないが左右に２個・前後に３列、同３個・同２列、同３個・同３列、等のように、前後に複数列のテボ浸漬部５を有するものが殆どである。
【０００５】
ところで、このような茹麺器にあっては、前側の列のテボ浸漬部５及び後側の列のテボ浸漬部５にそれぞれテボ４が浸漬してあり、後側のテボ４を引き上げようとする際、前側のテボ４の柄４２が邪魔になり、後側のテボ４を引き上げ難いうえに、前側のテボ４の柄４２に引っ掛かって麺をこぼしたり、熱い麺や湯滴が飛散して火傷してしまう惧れがあり、安全上問題があるものであった。
【先行技術文献】
【特許文献】
【０００６】
【特許文献１】特開２００４−１８７７７０号公報
【発明の概要】
【発明が解決しようとする課題】
【０００７】
本発明は上記従来の問題点に鑑みて発明したものであって、その目的とするところは、後側のテボを引き上げて引き寄せる際に、前側のテボの柄が邪魔になることのない茹麺器を提供することを課題とするものである。
【課題を解決するための手段】
【０００８】
上記課題を解決するために請求項１に係る茹麺器にあっては、器体１に上方に開口する複数の湯槽２を備えると共に、器体１内に湯槽２を加熱する加熱手段３を備え、各湯槽２をテボ４が左右に一個又は複数個且つ前後に一列浸漬可能に形成し、後側の湯槽２ｂの上端部が前側の湯槽２ａの上端部よりも上方に位置し、且つ、後側の湯槽２ｂの下端部が前側の湯槽２ａの下端部よりも上方に位置するように複数の湯槽２を前後に並設し、後側の湯槽の下側に被加熱容器を配置して成ることを特徴とする。
【発明の効果】
【００１０】
本発明においては、後側の湯槽の上端部が前側の湯槽の上端部よりも上方に位置するため、後側の湯槽に浸漬されているテボを引き上げて引き寄せる際に、前側の湯槽に浸漬されているテボの柄が邪魔にならない。
【００１１】
また、後側の湯槽の下端部が前側の湯槽の下端部よりも上方に位置し、後側の湯槽の下側に被加熱容器を配置することで、デッドスペースとなる空間の有効利用が可能となり、被加熱容器にて挿し湯を加熱するようにすれば挿し湯を別に加熱する必要がない。
【図面の簡単な説明】
【００１２】
【図１】本発明の一実施形態の茹麺器を示し、（ａ）は側断面図であり、（ｂ）は平面図である。
【図２】従来の茹麺器を示し、（ａ）は側断面図であり、（ｂ）は平面図である。
【図３】同上の茹麺器の斜視図である。
【発明を実施するための形態】
【００１３】
以下、本発明の一実施形態について図１に基づいて説明する。
【００１４】
茹麺器は、器体１と、器体１に収容される湯槽２と、器体１内に収容され湯槽２を加熱する加熱手段３とで主体が構成される。
【００１５】
器体１は、前板部、左右の側板部、背板部とからなる上下に開口する平面視略矩形箱状をしたもので、底板部を有していてもよく、また形状も特に限定されない。また、背板部の上端縁及び湯槽２の上端部の後端縁より上方に向けてバックガード１１が一体に立設してある。バックガード１１は、器体１の後端部の左右方向全幅に亘って上方に突設する平面視略矩形の筒状をしたもので、内部には、排気筒１２が上下に挿通される。便宜上、図に示すように、前方を矢印Ｆの方向、後方を矢印Ｂの方向、左右方向を矢印ＬＲの方向に定める。
【００１６】
湯槽２は、上方に開口して、その上端部が器体１の上端部と連結されるもので、後述する。
【００１７】
加熱手段３は、燃焼手段３１と熱交換器とを備えるもの、図示例のように燃焼手段３１を備えるが熱交換器を備えていないもの、に大別される。燃焼手段３１は、燃焼室３２内に設けられ都市ガス等の燃料ガスを空気と混合させて燃焼させるバーナであり、バーナに接続される燃料ガス管（図示せず）により燃料ガスが供給される。燃焼室３２は、二次空気が流入可能なように下方に開口する略箱状をした箱体内の空間であり、器体１内の湯槽２の下方に配設され、熱交換器を備える場合には燃焼室３２の上部が熱交換器と連通している。熱交換器は、湯槽２の湯が貯留される空間内を横切るように配設され、バーナの燃焼により発生した高温の燃焼排ガスが熱交換器内を通る際に、前記空間の湯との間で熱交換を行わせて湯を加熱するものである。熱交換器内の流路は、上流側の端部となる前端部において燃焼室３２と連通すると共に、下流側の端部となる後端部において排気筒１２内の空間と連通している。排気筒１２は、バックガード１１内に配設される上下方向を長手方向とする平面視略矩形の筒状をしたもので、排気筒１２内の流路は上流側の端部となる下端部において熱交換器の後端部と連通すると共に、下流側の端部となる上端部は開口している。また、バックガード１１の上端部には開口が形成されていて、前記排気筒１２の上端部から排出される燃焼排ガスは、バックガード１１の上方の大気へと排出される。加熱手段３が熱交換器を備えない場合には、湯槽２の底部をバーナからの燃焼排ガスにより直接加熱するようにし、燃焼室３２と排気筒１２内の空間とが連通する。
【００１８】
また、本実施形態では燃焼手段３１としてガスを燃料とするバーナを用いているが、他の燃料を用いる燃焼手段３１であってもよく、また更に、燃焼手段３１の代わりに例えば電気ヒータのような燃焼によらない発熱手段を用いてもよい。
【００１９】
湯槽２は、上方に開口する略矩形箱状をしたもので、本発明においては、複数個のテボ４を一列に並べて浸漬可能な大きさに形成される。テボ４は、平面視略円形状をして上方に開口する上下に長いざる状をした麺収容部４１と、麺収容部４１の上端部から上方に突設される柄４２と、からなり、柄４２の突出方向は厳密に上方でなく傾いていてもよい。そして湯槽２内において、前記麺収容部４１の直径よりも長いが前記直径の２倍よりは短い長さの辺に囲まれる略矩形状をした領域をテボ浸漬部５と定めると、湯槽２内に前記テボ浸漬部５が一列に複数並設される。
【００２０】
本実施形態では、湯槽２の上端部に湯を覆うパネル６を着脱自在に設けるもので、前側の湯槽２ａに前側のパネル６ａを設けると共に、後側の湯槽２ｂに後側のパネル６ｂを設けてある。また、各パネル６の各テボ浸漬部５に対応する位置には、平面視においてテボの麺収容部４１よりも若干大きいテボ開口６１がそれぞれ穿設してある。なお、パネル６は任意の構成部材であり、設けなくてもよい。
【００２１】
各湯槽２は、長手方向を左右方向に向けて器体１に取り付けられ、前後に一列、且つ、左右に複数個のテボ浸漬部５が位置する状態となる。なお、通常の業務用の茹麺器は左右に複数個のテボ浸漬部５が並設されるが、左右に一個のテボ浸漬部５のみがあってもよい。そして、複数の湯槽２が前後に並設されるのであるが、この際、後側の湯槽２ｂの上端部が前側の湯槽２ａの上端部よりも上方に位置するように設置される。
【００２２】
前後に二列のテボ浸漬部５を設ける場合には前後に二列の湯槽２を設け、同様に三列以上のテボ浸漬部５を設ける場合でもテボ浸漬部５と同数列の湯槽２を前後に設ければよい。三列以上の場合、後側へ行く程湯槽２の上端部が階段状に上方に位置することとなる。
【００２３】
また、湯槽２の下端部の位置関係は特に限定されず、湯槽２の上下長さは、テボ４が浸漬されるのに必要な深さを有していればよい。湯槽２の上下長さを後側へ行く程長くして各湯槽２の底面を同じ高さに位置するようにしてもよいが、本実施形態では図１に示すように、各湯槽２の上下長さは同じに形成してあって、湯槽２の下端部も上端部と同様に後側へ行く程階段状に上方に位置している。そして図１に示すように、前側の湯槽２ａの下端部よりも高くなった後側の湯槽２ｂの下端部の下方には、前側の湯槽２ａの下端部までの間に空間が生じるため、この空間に挿し湯を加熱するための被加熱容器７を着脱自在に設置している。被加熱容器７は、タンクをはじめとする槽状をしたものや、熱交換器をはじめとする管状のもの等、特に限定されず、熱交換機能を備えていればよい。これにより、デッドスペースとなる空間の有効利用が可能となると共に、挿し湯を別に加熱する必要がない。
【００２４】
また本実施形態では、加熱手段３を各湯槽２毎に設けたものではないが、加熱手段３を各湯槽２毎に別個に設けてもよい。各湯槽２の下端部の高さが異なる場合、各湯槽２毎に燃焼手段３１を湯槽２の下端部から所定距離あけて設置することで、後側の湯槽２ｂの下端部が燃焼手段３１から距離があきすぎて該湯槽２ｂへの加熱量が低下するのを回避することができる。
【００２５】
従来のように、前側のテボ浸漬部５と後側のテボ浸漬部５の上端部が同じ高さである場合、後側の湯槽２ｂのテボ浸漬部５に浸漬されているテボ４（単に後側のテボ４という）を引き上げて前方に引き寄せる際、後側のテボ４を湯面より引き上げるだけでなく、更に前側の湯槽２ａのテボ浸漬部５に浸漬されているテボ４（単に前側のテボ４という）の柄４２よりも高い位置にまで持ち上げて、持ち上げたテボ４や袖が前側のテボ４の柄４２に引っ掛からないように細心の注意を払いながら引き寄せる必要がある。
【００２６】
これに対して本発明の茹麺器においては、後側のテボ浸漬部５（後側の湯槽２ｂ）の上端部は前側のテボ浸漬部５（前側の湯槽２ａ）の上端部よりも高いため、後側のテボ４を引き上げて前方に引き寄せる際、後側のテボ４を湯面より引き上げた後、更に若干持ち上げるだけで又は持ち上げることなく前方に引き寄せれば、持ち上げたテボ４や袖が前側のテボ４の柄４２に引っ掛からないように引き寄せることができる。これにより、後側のテボ４を持ち上げる距離が短くて済んで作業が楽になると共に、テボ４を引き寄せるのに従来のように細心の注意を払う必要がなく、不注意により麺をこぼしたり火傷してしまうのを抑えることができる。
【００２７】
なお、後側の湯槽２ｂの上端部を前側の湯槽２ａの上端部よりもどの程度高くするかによって、後側のテボ４を持ち上げる距離が変わるものであり、後側の湯槽２ｂの上端部を前側の湯槽２ａの上端部よりもテボ４の柄４２の上下長さ以上高くすると、後側のテボ４を湯面より引き上げさえすれば、テボ４を更に持ち上げることなくそのまま前方に引き寄せることが可能となる。しかしながら、前側と後側の湯槽２ａ、２ｂの上端部の高さの差を大きくする程、後側の湯槽２ｂの上端部の位置が床から高くなって、背の低い使用者にとって使い難くなると共に、器体１の上下長さが長くなり大型化するため、これらとの兼ね合いにより両湯槽２の高さの差が決定される。実用上は、差が５ｃｍあれば使用者にとって負担の軽減が感じられ、１０ｃｍあればより一層の負担の軽減がなされるが、差は特に限定されないものである。なお、前側のテボ４の柄４２の上下長さを短くして後側のテボ４を引き寄せ易くしようとすると、前側のテボ４の柄４２が掴み難くなってしまうため、好ましくない。
【００２８】
また本発明においては、前後に複数の湯槽２を備えるため、麺の種類によって使い分けることが可能となる。例えば、そば専用の湯槽２、うどん専用の湯槽２、ラーメン専用の湯槽２、パスタ専用の湯槽２、等に使い分けることで、一つの湯槽２に複数種類の麺の茹で汁が混ざって、想定外の味がついてしまったり、そばの成分が付着したうどんをそばアレルギーの人が食べてしまったりする事故を防止することができる。特に、前側の湯槽２ａをそば専用、後側の湯槽２ｂをうどん専用とすることで、うどんの入った後側のテボ４を前方に引き寄せる際にそば専用の前側の湯槽２ａにうどんの成分が落下することはあっても、そばの入った前側のテボ４を前方に引き寄せる際にうどん専用の後側の湯槽２ｂにそばの成分が落下することはないため、そばの成分が付着したうどんをそばアレルギーの人が食べてしまうのを防止することができる。また、オフピーク時には、前側の湯槽２ａを麺を茹でるのに使用し、後側の湯槽２ｂに挿し湯を入れておくことで、挿し湯がし易くなると共に挿し湯を別に加熱する必要がない。
【００２９】
また、茹麺器においては、設定された時間が経過するとテボ４が自動的に湯面から引き上げられる所謂オートリフター機能を備えたものが知られているが、各湯槽２に対応して高さを変えて設けることで本発明においても適用可能である。
【符号の説明】
【００３０】
１    器体
１１  バックガード
２    湯槽
２ａ  前側の湯槽
２ｂ  後側の湯槽
３    加熱手段
４    テボ
４１  麺収容部
４２  柄
５    テボ浸漬部
６    パネル
６１  テボ開口
７    被加熱容器
【図１】
0005536441.tif 000002
【図２】
0005536441.tif 000003
【図３】
0005536441.tif 000004